(57)【要約】【課題】本発明は、極めて商品価値の高い画期的なピンセットを提供することを目的とする。【解決手段】先端部に対向する一対の挟持部１，２を接離自在に設けたピンセットであって、前記挟持部１，２夫々の対向内面１ａ，２ａにはビーズや宝石などの粒状挟持物３に係止する凹部４，５が形成されたものである。【選択図】　　　　図１
2004122241.tif 000002
【特許請求の範囲】
【請求項１】
先端部に対向する一対の挟持部を接離自在に設けたピンセットであって、前記挟持部夫々の対向内面にはビーズや宝石などの粒状挟持物に係止する凹部が形成されていることを特徴とするピンセット。
【請求項２】
請求項１記載のピンセットにおいて、前記凹部は挟持部夫々の対向内面にして挟持平坦面に形成されていることを特徴とするピンセット。
【請求項３】
請求項１，２いずれか１項に記載のピンセットにおいて、前記凹部は、粒状挟持物を挟持した際、該粒状挟持物の略半分が没入しない深さに設定されていることを特徴とするピンセット。
【請求項４】
請求項１〜３いずれか１項に記載のピンセットにおいて、前記凹部は、粒状挟持物を挟持した際、該粒状挟持物ががたつくことなく挟持される大きさに設定されていることを特徴とするピンセット。
【請求項５】
請求項１〜４いずれか１項に記載のピンセットにおいて、前記凹部は、対向内面の表面から内方に凹湾曲する凹部が採用されていることを特徴とするピンセット。
【請求項６】
請求項１〜５いずれか１項に記載のピンセットにおいて、前記凹部は平面視略円形状に形成されていることを特徴とするピンセット。
【発明の詳細な説明】
【０００１】
【発明の属する技術分野】
本発明は、ビーズや宝石などの粒状挟持物を挟持するピンセットに関するものである。
【０００２】
【従来の技術及び発明が解決しようとする課題】
種々の色や形や大きさのある粒状のビーズに糸を通して、思い思いのデザインのリングやブレスレットなどのアクセサリーを作る、オリジナルのアクセサリー作りが流行している。
【０００３】
ところで、この粒状のビーズに糸を通す場合、例えば小さなビーズを手で摘んで糸を通すのは大変な作業であるから、一般的にピンセットが使用されているが、実際、ビーズの表面は非常に滑り易い為、取り扱いに慣れていないと滑落し易いとされる（落とせば当然その表面に傷が付いてしまい、高価なものほど致命的である。）。
【０００４】
そこで、このビーズを滑落しないように挟持できる構造のビーズ専用のピンセット（以下、従来例という。）が提案されており、この従来例は、対向する先端挟持部夫々の先端にオタマのような半球状部を形成し、この半球状部同志でビーズを左右から覆うようにして挟持することができるように構成されている。
【０００５】
この従来例は、前述したようにビーズを覆うようにして挟持することができる構造であるから、挟持したビーズを滑落させたりすることを可及的に防止できるが、その反面、ビーズが半球状部に比して小さい場合、該半球状部内でビーズががたがた動き、挟持作用が発揮されず、しかも、ビーズが隠れて見えなくなり、ビーズに形成される糸通し孔に糸を通すことが不能となる。この場合、ビーズの大きさにあった半球状部を具備した従来例をいくつか用意して使い分けしなければならず、極めて厄介である。
【０００６】
本出願人は、上述の問題点に着目し、極めて商品価値の高い画期的なピンセットを開発した。
【０００７】
【課題を解決するための手段】
添付図面を参照して本発明の要旨を説明する。
【０００８】
先端部に対向する一対の挟持部１，２を接離自在に設けたピンセットであって、前記挟持部１，２夫々の対向内面１ａ，２ａにはビーズや宝石などの粒状挟持物３に係止する凹部４，５が形成されていることを特徴とするピンセットに係るものである。
【０００９】
また、請求項１記載のピンセットにおいて、前記凹部４，５は挟持部１，２夫々の対向内面１ａ，２ａにして挟持平坦面１Ａ，２Ａに形成されていることを特徴とするピンセットに係るものである。
【００１０】
また、請求項１，２いずれか１項に記載のピンセットにおいて、前記凹部４，５は、粒状挟持物３を挟持した際、該粒状挟持物３の略半分が没入しない深さに設定されていることを特徴とするピンセットに係るものである。
【００１１】
また、請求項１〜３いずれか１項に記載のピンセットにおいて、前記凹部４，５は、粒状挟持物３を挟持した際、該粒状挟持物３ががたつくことなく挟持される大きさに設定されていることを特徴とするピンセットに係るものである。
【００１２】
また、請求項１〜４いずれか１項に記載のピンセットにおいて、前記凹部４，５は、対向内面１ａ，２ａの表面から内方に凹湾曲する凹部４，５が採用されていることを特徴とするピンセットに係るものである。
【００１３】
また、請求項１〜５いずれか１項に記載のピンセットにおいて、前記凹部４，５は平面視略円形状に形成されていることを特徴とするピンセットに係るものである。
【００１４】
【発明の作用及び効果】
本発明は、対向する挟持部１，２を接近させてビーズや宝石などの粒状挟持物３を挟持することができる。
【００１５】
ところで、この挟持部１，２夫々の対向内面１ａ，２ａには凹部４，５が形成されており、この凹部４，５が粒状挟持物３に係止することで、しっかりと粒状挟持物３を挟持することができる。
【００１６】
従って、例えば表面が平滑なビーズや宝石などの粒状挟持物３であっても良好に挟持することができる。
【００１７】
以上のように、本発明は、従来にない画期的な作用効果を発揮し、極めて商品価値の高いものになる。
【００１８】
【発明の実施の態様】
図面は本発明の一実施例を図示したものであり、以下に説明する。
【００１９】
符号３は粒状挟持物としてのビーズ、３ａは糸通し孔，７は糸（テグス）である。
【００２０】
本実施例は、先端部に対向する一対の挟持部１，２を接離自在に設けたピンセットであって、前記挟持部１，２夫々の対向内面１ａ，２ａにビーズ３に係止する凹部４，５を形成したものである。尚、本実施例は、粒状挟持物をビーズ３を図示して説明しているがビーズに限られるものではなく、本実施例の特性を発揮する構成であれば適宜採用するものである。
【００２１】
具体的には、図１，２に図示したように一対のステンレス製の長尺板材６Ａ，６Ｂを連設してピンセット本体６を構成している。
【００２２】
この各長尺板材６Ａ，６Ｂは、基端部同志が接着されて連結され、夫々先端部が先鋭状に形成されて粒状挟持物３を挟持する為の挟持部１，２として構成されている。
【００２３】
また、長尺板材６Ａ，６Ｂは、夫々その基端側部位が外方に傾斜するように屈曲形成されており、よって、この屈曲部により素材が持つ弾性を利用して挟持部１，２は開き方向へ付勢されるように構成されている。尚、ピンセット構造としては、一枚の長尺板材を折り返し形成して、この折り返し部に挟持部１，２を開放方向へ付勢する弾性を生じるように構成した構造のものでも良い。
【００２４】
また、挟持部１，２は、夫々対向内面１ａ，２ａにして挟持平坦面１Ａ，２Ａに該対向内面１ａ，２ａの表面から内方に凹湾曲する凹部５，６が形成されている。従って、粒状挟持物３を挟持した際、この各凹部５，６内に粒状挟持物３の一部表面が落ち込み係止するように構成されている。
【００２５】
また、この各凹部４，５は、粒状挟持物３を挟持した際、該粒状挟持物３の略半分が没入しない深さに設定されるとともに、該粒状挟持物３ががたつくことなく挟持される大きさに設定されている。従って、粒状挟持物３としてのビーズを挟持した際、ビーズ３が見えなくなってしまうことはなく、そして、ビーズ３の糸通し孔３ａを塞いでしまうこともなく糸通し作業が良好に行えることになる。
【００２６】
また、この凹部５，６は、平面視略円形状に形成されており、これは、凹部５，６を凹湾曲する形状にしたことに伴い、粒状挟持物３の形状に応じて粒状挟持物３を傷つけずに良好な挟持状態を得る為の構成である（図４，５参照）。
【００２７】
本実施例は上述のように構成したから、対向する挟持部１，２を接近させて粒状挟持物３を挟持することができる。この挟持部１，２夫々の対向内面１ａ，２ａには凹部４，５が形成されており、この凹部４，５が粒状挟持物３に係止することで、しっかりと粒状挟持物３を挟持することができる。
【００２８】
よって、本実施例によれば、例えば表面が平滑なビーズや宝石などの粒状挟持物３であっても良好に挟持することができ、しかも、粒状挟持物３に係止する凹部４，５が、先鋭の挟持部１，２に設けられているから、狙った粒状挟持物３を滑って弾いたりせず、素早く確実に挟持することができ、大きな粒状挟持物３でも小さな粒状挟持物３でも良好に挟持できて非常に便利である。
【００２９】
また、本実施例は、各凹部４，５は、粒状挟持物３を挟持した際、該粒状挟持物３の略半分が没入しない深さに設定されるとともに、該粒状挟持物３ががたつくことなく挟持される大きさに設定されているから、粒状挟持物３を挟持した際、粒状挟持物３が見えなくなってしまうようなことはなく、そして、ビーズ３の糸通し孔３ａを塞いでしまうようなこともなく、糸通しが良好に行えることになる。
【００３０】
また、本実施例は、凹部４，５として対向内面１ａ，２ａの表面から内方に凹湾曲する凹部４，５を採用したから、表面から突出するものは無く、粒状挟持物３を傷つけずに且つ確実に教示することができ、しかも、通常のピンセットとしての使用も行えることになる。
【００３１】
また、本実施例は、凹部４，５を平面視略円形状に形成したから、確実に粒状挟持物３の形状に対応して傷つける事無く良好に挟持することができることになる。
【００３２】
尚、本発明は、本実施例に限られるものではなく、各構成要件の具体的構成は適宜設計し得るものである。
【図面の簡単な説明】
【図１】本実施例を示す斜視図である。
【図２】本実施例を示す斜視図である。
【図３】本実施例に係る要部を説明する平断面図である。
【図４】本実施例に係る要部を説明する平断面図である。
【図５】本実施例に係る要部を説明する平断面図である。
【図６】本実施例の使用状態説明図である。
【符号の説明】
１　挟持部
１Ａ　挟持平坦面
１ａ　対向内面
２　挟持部
２Ａ　挟持平坦面
２ａ　対向内面
３　粒状挟持物
４　凹部
５　凹部
【図１】
2004122241.tif 000003
【図２】
2004122241.tif 000004
【図３】
2004122241.tif 000005
【図４】
2004122241.tif 000006
【図５】
2004122241.tif 000007
【図６】
2004122241.tif 000008